(57)【要約】【課題】所定範囲にある観光スポットなどの情報表示について、ユーザにとって煩わしくないように、より適切に制御することができる。【解決手段】  目的地の入力を受け付ける入力受付部と、ある地点から所定範囲にある観光スポットのガイド情報を表示するガイド情報表示部と、前記目的地のジャンルに応じて、前記ガイド情報の表示および非表示を制御する表示許可判定部と、を備える。【選択図】図１
2018105624.tif 000002
【特許請求の範囲】
【請求項１】
目的地の入力を受け付ける入力受付部と、
ある地点から所定範囲にある観光スポットのガイド情報を表示するガイド情報表示部と、
前記目的地のジャンルに応じて、前記ガイド情報の表示および非表示を制御する表示許可判定部と、を備える
ことを特徴とする情報表示装置。
【請求項２】
請求項１に記載の情報表示装置であって、
前記表示許可判定部は、
前記目的地のジャンルが即時性の高い所定の場所に関連する場合、前記ガイド情報の表示を許可しない
ことを特徴とする情報表示装置。
【請求項３】
請求項１に記載の情報表示装置であって、
前記表示許可判定部は、
前記目的地までの距離が、前記ジャンルで特定される所定の距離条件を満たす場合、前記ガイド情報の表示を許可する
ことを特徴とする情報表示装置。
【請求項４】
請求項１に記載の情報表示装置であって、
前記表示許可判定部は、
前記目的地までの予想移動時間が、前記ジャンルで特定される時間条件を満たす場合、前記ガイド情報の表示を許可する
ことを特徴とする情報表示装置。
【請求項５】
請求項１または２に記載の情報表示装置であって、
前記ガイド情報を表示しない前記目的地のジャンルを登録した設定情報を生成する観光ガイド機能設定部をさらに備え、
前記表示許可判定部は、
前記設定情報を用いて、前記ガイド情報の表示および非表示を制御する
ことを特徴とする情報表示装置。
【請求項６】
請求項１または３に記載の情報表示装置であって、
前記目的地のジャンルに対応付けて、前記ガイド情報を表示する距離条件を登録した設定情報を生成する観光ガイド機能設定部をさらに備え、
前記表示許可判定部は、
前記設定情報を用いて、前記ガイド情報の表示および非表示を制御する
ことを特徴とする情報表示装置。
【請求項７】
請求項１または４に記載の情報表示装置であって、
前記目的地のジャンルに対応付けて、前記ガイド情報を表示する時間条件を登録した設定情報を生成する観光ガイド機能設定部をさらに備え、
前記表示許可判定部は、
前記設定情報を用いて、前記ガイド情報の表示および非表示を制御する
ことを特徴とする情報表示装置。
【請求項８】
請求項２に記載の情報表示装置であって、
前記即時性の高い場所には、少なくとも、ガソリンスタンド、トイレ、駐車場、コンビニエンスストアのいずれか１つが含まれる
ことを特徴とする情報表示装置。
【請求項９】
請求項１〜６のいずれか一項に記載の情報表示装置であって、
過去の走行履歴を記憶した所定情報を用いて目的地を推定する目的地推定部をさらに備え、
前記表示許可判定部は、
前記目的地推定部により推定された目的地のジャンルに応じて、前記ガイド情報の表示および非表示を制御する
ことを特徴とする情報表示装置。
【請求項１０】
請求項１〜６のいずれか一項に記載の情報表示装置であって、
車両情報を取得する車両情報取得部と、
前記車両情報取得部が取得した車両情報を用いて目的地を推定する目的地推定部をさらに備え、
前記表示制御部は、
前記目的地推定部により推定された目的地のジャンルに応じて、前記ガイド情報の表示および非表示を制御する
ことを特徴とする情報表示装置。
【請求項１１】
情報表示装置およびサーバ装置を備えた情報表示システムであって、
前記情報表示装置は、
目的地の入力を受け付ける入力受付部と、
所定地点の位置情報を前記サーバ装置に送信する送信部と、
所定地点から所定範囲にある観光スポットのガイド情報を前記サーバ装置から取得して表示するガイド情報表示部と、
前記目的地のジャンルに応じて、前記ガイド情報の表示および非表示を制御する表示許可判定部と、を備え、
前記サーバ装置は、
前記情報表示装置から取得した前記所定地点の位置情報を用いて、当該所定地点から所定範囲にある前記観光スポットのガイド情報を抽出するガイド情報抽出部と、
抽出した前記ガイド情報を前記情報表示装置に送信する情報通信部と、を備える
ことを特徴とする情報表示システム。
【請求項１２】
情報表示装置が行う情報表示方法であって、
前記情報表示装置は、
目的地の入力を受け付ける入力受付ステップと、
ある地点から所定範囲にある観光スポットのガイド情報を表示するガイド情報表示ステップと、
前記目的地のジャンルに応じて、前記ガイド情報の表示および非表示を制御する表示許可判定ステップと、を行う
ことを特徴とする情報表示方法。
【発明の詳細な説明】
【技術分野】
【０００１】
本発明は、情報表示装置、情報表示システムおよび情報表示方法に関する。
【背景技術】
【０００２】
特許文献１には、広告配信システムに関し、「広告配信システム１は、施設の広告情報を配信し、その広告情報を車両運転者に対して表示するものであり、ナビゲーション装置１０と、エージェントサーバ２０とを備えている。ナビゲーション装置１０は、車両の現在位置、目的地、および目的地までの経路の少なくとも１つを含む車両情報をエージェントサーバ２０に送信する。エージェントサーバ２０は、ナビゲーション装置から送信された車両情報を受信したことを契機として、配信すべき広告情報を決定し、決定した広告情報をナビゲーション装置１０に対して配信する。ここで、ナビゲーション装置１０は、車両情報をエージェントサーバに送信するか否かを判断するための情報送信条件を記憶しており、情報送信条件を満たさない場合にはエージェントサーバ２０に車両情報を送信しない構成となっている。」と記載されている。
【先行技術文献】
【特許文献】
【０００３】
【特許文献１】特開２００７−２３２６１０号公報
【発明の概要】
【発明が解決しようとする課題】
【０００４】
近年、ナビゲーション装置などの車載装置において、設定された目的地付近の観光スポット情報をユーザに提供するサービスが行われている。かかるサービスでは、ドライブの目的に関係なく、ユーザが設定した目的地の周辺にある観光スポット情報が表示される。しかしながら、目的地がガソリンスタンドやトイレなどの即時性の高い場所である場合、ユーザは、観光スポットの案内を煩わしいと感じることがある。
【０００５】
ここで、特許文献１には、所定の条件を満たさない場合、車両情報をエージェントサーバに送信せず、広告配信を行わない広告配信システムについて記載されている。すなわち、同文献には、車載装置における情報配信（提供）の制御について記載されている。しかしながら、同文献には、目的地付近の観光スポット情報をユーザに対してどのように提供するかについては記載されていない。
【０００６】
そこで、本発明は、所定範囲にある観光スポットなどの情報表示について、ユーザにとって煩わしくないように、より適切に制御する情報表示装置の提供を目的とする。
【課題を解決するための手段】
【０００７】
上記課題を解決するため、本発明に係る情報表示装置は、目的地の入力を受け付ける入力受付部と、ある地点から所定範囲にある観光スポットのガイド情報を表示するガイド情報表示部と、前記目的地のジャンルに応じて、前記ガイド情報の表示および非表示を制御する表示許可判定部と、を備える。
【発明の効果】
【０００８】
本発明に係る情報表示装置によれば、所定範囲にある観光スポットなどの情報表示について、ユーザにとって煩わしくないように、より適切に制御することができる。
【０００９】
なお、上記以外の課題、構成および効果等は、以下の実施形態の説明により明らかにされる。
【図面の簡単な説明】
【００１０】
【図１】情報表示システムを構成する情報表示装置のハードウェア構成の一例を示した図である。
【図２】情報表示システムを構成するサーバ装置のハードウェア構成の一例を示した図である。
【図３】情報表示装置およびサーバ装置の機能構成の一例を示した機能ブロック図である。
【図４】観光ガイド機能設定情報の一例を示した図である。
【図５】表示モード詳細設定情報の第一の例を示した図である。
【図６】表示モード詳細設定情報の第二の例を示した図である。
【図７】観光スポットのガイド情報が表示された画面の一例を示した図である。
【図８】詳細ガイド情報が表示された画面の一例を示した図である。
【図９】ガイド情報表示処理の一例を示したフロー図である。
【図１０】ガイド情報の表示許可判定処理の一例を示したフロー図である。
【発明を実施するための形態】
【００１１】
以下、本発明の一実施形態について説明する。
【００１２】
図１は、本実施形態に係る情報表示システムを構成する情報表示装置１００のハードウェア構成の一例を示した図である。情報表示装置１００は、車両に搭載されうる電子機器のことであり、非搭載状態で流通されるものを含む。例えば、本実施形態に係る情報表示装置１００は、推奨経路の探索や、地図情報および交通情報の表示など、いわゆるナビゲーション機能を備えたナビゲーション装置によって実現される。ただし、情報表示装置１００は、ナビゲーション装置に限られるものではなく、ナビゲーション機能を実現するためのソフトウェアがインストールされたタブレット端末やスマートフォンなどの電子機器であっても良い。
【００１３】
図示するように、情報表示装置１００は、演算装置１と、ディスプレイ２と、記憶装置３と、音声入出力装置４と、入力装置５と、ＲＯＭ装置６と、車速センサ７と、ジャイロセンサ８と、ＧＰＳ(Ｇｌｏｂａｌ  Ｐｏｓｉｔｉｏｎｉｎｇ  Ｓｙｓｔｅｍ)受信装置９と、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ：登録商標）受信装置１０と、通信装置１１とを有している。
【００１４】
演算装置１は、情報表示装置１００の様々な処理を行う中心的なユニットである。演算装置１は、例えば、車速センサ７などの各種センサおよびＧＰＳ受信装置９から出力された情報を用いて現在地を検出する。また、演算装置１は、得られた現在地情報に基づいて、表示に必要な地図情報を記憶装置３あるいはＲＯＭ装置６から読み出す。また、演算装置１は、読み出した地図情報をグラフィックス展開し、そこに現在地を示すマークを重ねてディスプレイ２へ表示させる信号を出力する。また、演算装置１は、記憶装置３あるいはＲＯＭ装置６に記憶されている地図情報などを用いて、出発地と目的地とを結ぶ推奨経路を探索する。また、演算装置１は、ディスプレイ２などに所定の信号を出力して経路誘導を行う。
【００１５】
また、演算装置１は、観光ガイド機能を実現する。観光ガイド機能とは、ある地点（例えば、設定された目的地や現在地）から所定範囲（例えば、半径１ｋｍの範囲）にある観光スポットや所定の施設に関するガイド情報をディスプレイ２に表示し、ユーザに案内する機能である。演算装置１は、後述する観光ガイド機能設定情報などの所定情報を用いてガイド情報の表示および非表示を制御する。
【００１６】
このような演算装置１は、各デバイス間をバスで接続した構成となっている。具体的には、演算装置１は、数値演算及び各デバイスを制御するなど様々な処理を実行するＣＰＵ２１(Ｃｅｎｔｒａｌ  Ｐｒｏｃｅｓｓｉｎｇ  Ｕｎｉｔ)と、記憶装置３またはＲＯＭ２３から読み出した地図情報や演算データなどを格納するＲＡＭ２２(Ｒａｎｄｏｍ  Ａｃｃｅｓｓ  Ｍｅｍｏｒｙ)と、ＣＰＵ２１が実現するブートプログラムなどを格納するＲＯＭ２３(Ｒｅａｄ  Ｏｎｌｙ  Ｍｅｍｏｒｙ)と、演算装置１に各種ハードウェアを接続するためのＩ／Ｆ２４（インターフェイス）と、これらを相互に接続するバス２５とを有している。
【００１７】
ディスプレイ２は、グラフィックス情報を表示するユニットであって、例えば、液晶ディスプレイや有機ＥＬディスプレイなどで構成される。
【００１８】
記憶装置３は、ＨＤＤ（Ｈａｒｄ  Ｄｉｓｋ  Ｄｒｉｖｅ）や不揮発性メモリカードといった、少なくとも読み書きが可能な記憶媒体であって、様々な情報（例えば、地図情報やガイド機能設定情報など）が格納されている。
【００１９】
音声入出力装置４は、運転者や同乗者の発した声を取得するマイクロフォン４１と、運転者などへの案内を音声として出力するスピーカ４２とを有する。
【００２０】
入力装置５は、タッチパネル５１やダイヤルスイッチ５２あるいはスクロールキーなどユーザからの指示入力を受け付ける装置である。
【００２１】
ＲＯＭ装置６は、ＣＤ-ＲＯＭやＤＶＤ-ＲＯＭなどのＲＯＭ、ＩＣ（Ｉｎｔｅｇｒａｔｅｄ  Ｃｉｒｃｕｉｔ）カードなどの、少なくとも読み取りが可能な記憶媒体であって、例えば動画データや、音声データなどが記憶されている。
【００２２】
車速センサ７は、車速を算出するのに用いる値を出力するセンサである。ジャイロセンサ８は、光ファイバジャイロや振動ジャイロなどで構成され、移動体の回転による角速度を検出するセンサである。ＧＰＳ受信装置９は、ＧＰＳ衛星からの信号を受信し移動体とＧＰＳ衛星間の距離と距離の変化率とを３個以上の衛星に対して測定することで移動体の現在地、進行速度および進行方位を測定する。
【００２３】
ＶＩＣＳ受信装置１０は、現況交通情報、規制情報、ＳＡ／ＰＡ（サービスエリア／パーキングエリア）情報、駐車場情報、天気情報などを含むＶＩＣＳ情報を受信する装置である。
【００２４】
通信装置１１は、外部装置（本例では、サーバ装置）との間で情報通信を行う装置である。
【００２５】
以上、情報表示装置１００のハードウェア構成について説明した。
【００２６】
図２は、情報表示システムを構成するサーバ装置２００のハードウェア構成の一例を示した図である。サーバ装置２００は、例えば、ワークステーションなどの演算処理装置である。
【００２７】
図示するように、サーバ装置２００は、演算装置２０１と、外部記憶装置２０２と、通信装置２０３と、各々の装置を相互に接続するバス２０４とを有している。
【００２８】
演算装置２０１は、数値演算及び各デバイスを制御するなど様々な処理を実行するＣＰＵ２０５と、外部記憶装置２０２またはＲＯＭ２０７から読み出した地図情報や演算データなどを格納するＲＡＭ２０６と、ＣＰＵ２０５が実現するブートプログラムなどを格納するＲＯＭ２０７とを有している。
【００２９】
外部記憶装置２０２は、例えば、ハードディスク装置やフラッシュメモリなどの不揮発性記憶装置である。
【００３０】
通信装置２０３は、例えば、外部装置（本例では、情報表示装置１００）との間で情報通信を行う通信モジュールなどの装置である。
【００３１】
以上、サーバ装置２００のハードウェア構成について説明した。
【００３２】
図３は、情報表示装置１００およびサーバ装置２００の機能構成の一例を示した機能ブロック図である。情報表示装置１００およびサーバ装置２００は、インターネットなどの所定のネットワークＮにより相互に通信可能に接続されている。
【００３３】
図示するように、情報表示装置１００は、演算部３０１と、記憶部３０２と、通信部３０３とを有している。
【００３４】
演算部３０１は、全体制御部３１０と、入力受付部３１１と、出力表示部３１２と、観光ガイド機能設定部３１３と、ガイド情報表示部３１４と、表示許可判定部３１５とを有している。
【００３５】
全体制御部３１０は、情報表示装置１００の様々な処理を制御する機能部である。具体的には、全体制御部３１０は、入力受付部３１１や通信部３０３を介して取得した様々な情報を、情報の種類や内容に応じて、所定の機能部に出力する。また、全体制御部３１０は、各機能部が適切なタイミングで各々の処理を行うように制御する。
【００３６】
入力受付部３１１は、入力装置５を介して、ユーザからの指示や情報の入力を受け付ける機能部である。具体的には、入力受付部３１１は、入力装置５を介して、目的地や観光ガイド機能の設定に関する情報の入力をユーザから受け付ける。
【００３７】
出力表示部３１２は、表示画面を構成する画面情報を生成する機能部である。具体的には、出力表示部３１２は、ディスプレイ２への表示が要求される情報（例えば、地図、誘導経路、観光スポットのガイド情報など）を生成し、これをディスプレイ２に表示する。
【００３８】
観光ガイド機能設定部３１３は、観光ガイド機能の設定を行う機能部である。具体的には、観光ガイド機能設定部３１３は、出力表示部３１２を介して、所定の情報入力画面をディスプレイ２に表示し、入力受付部３１１を介して観光ガイド機能の設定に関する情報の入力をユーザから受け付ける。また、観光ガイド機能設定部３１３は、受け付けた入力情報を用いて、観光ガイド機能の設定状況を示す観光ガイド機能設定情報３３０および表示モード詳細設定情報３４０を生成する。また、観光ガイド機能設定部３１３は、生成した観光ガイド機能設定情報３３０および表示モード詳細設定情報３４０を記憶部３０２に格納する。
【００３９】
図４は、観光ガイド機能設定情報３３０の一例を示した図である。観光ガイド機能設定情報３３０は、ディスプレイ２に表示した所定の情報入力画面を介してユーザから受け付けた観光ガイド機能の設定に関する入力情報を用いて、観光ガイド機能設定部３１３により生成される。
【００４０】
図示するように、観光ガイド機能設定情報３３０は、設定項目３３１ごとに選択項目３３２と、設定状況３３３とが対応付けられている。設定項目３３１は、観光ガイド機能の設定項目を示す情報であって、「観光ガイド機能の有効設定」と、「ガイド情報の表示モード設定」とがある。選択項目３３２は、設定項目ごとの選択肢を示す情報である。設定状況３３３は、設定項目ごとの設定状況を示す情報である。
【００４１】
「観光ガイド機能の有効設定」は、観光ガイド機能の有効または無効を設定する項目である。「観光ガイド機能の有効設定」に対応付けられた選択項目には、「１：ＯＮ（有効）」と、「２：ＯＦＦ（無効）」とがある。観光ガイド機能設定部３１３は、ユーザが選択した選択項目を設定状況３３３に登録する。なお、観光ガイド機能設定部３１３は、設定状況３３３に「ＯＮ」が登録されている場合のみ、「ガイド情報の表示モード設定」に関する情報の入力をユーザから受け付ける。
【００４２】
「ガイド情報の表示モード設定」は、ガイド情報の表示モードを設定する項目である。「ガイド情報の表示モード設定」が対応付けられた選択項目には、「１ａ：ＯＮ（常時ＯＮ）」と、「１ｂ：目的地ジャンル毎にＯＮ」と、「１ｃ：目的地ジャンル毎＆距離属性毎にＯＮ」とがある。観光ガイド機能設定部３１３は、ユーザが選択した選択項目を設定状況３３３に登録する。
【００４３】
「１ａ：ＯＮ（常時ＯＮ）」は、設定された目的地のジャンルに関わらずガイド情報を表示する表示モードである。「１ｂ：目的地ジャンル毎にＯＮ」は、ユーザが設定した目的地のジャンルが、図５に示す表示モード詳細設定情報において有効（「ガイド表示」欄が「ＯＮ」）となっている目的地ジャンルである場合に、ガイド情報を表示する表示モードである。「１ｃ：目的地ジャンル毎＆距離属性毎にＯＮ」は、ユーザが設定した目的地のジャンルが、図６に示す表示モード詳細設定情報において有効（「距離属性」欄がＯＦＦ以外）となっている目的地ジャンルであって、所定の距離条件（例えば、５０ｋｍ以上の時にＯＮ）を満たす場合にガイド情報を表示する表示モードである。
【００４４】
図５は、表示モード詳細設定情報３４０の第一の例（観光ガイド機能設定情報３３０の表示モード設定において、「１ｂ：目的地ジャンル毎にＯＮ」が設定されている場合）を示した図である。表示モード詳細設定情報３４０は、ディスプレイ２に表示した所定の情報入力画面を介してユーザから受け付けた観光ガイド機能の設定に関する入力情報を用いて、観光ガイド機能設定部３１３により生成される。
【００４５】
図示するように、表示モード詳細設定情報３４０は、目的地ジャンル３４１と、施設カテゴリ３４２と、ガイド表示設定状況３４３とが対応付けられたレコードを有している。
【００４６】
目的地ジャンル３４１は、目的地に設定された施設等のジャンルを示す情報である。施設カテゴリ３４２は、目的地に設定された施設等のカテゴリを示す情報である。ガイド表示設定状況３４３は、ガイド情報の表示または非表示を示す情報であって、ＯＮ（表示）とＯＦＦ（非表示）とがある。ユーザが設定した目的地のジャンルと同じ目的地ジャンルが対応付けられたレコードのガイド表示設定状況３４３に「ＯＮ」が設定されている場合に、ガイド情報が表示される。
【００４７】
図６は、表示モード詳細設定情報３４０の第二の例（観光ガイド機能設定情報３３０の表示モード設定において、「１ｃ：目的地ジャンル毎＆距離属性毎にＯＮ」が設定されている場合）を示した図である。表示モード詳細設定情報３４０は、目的地ジャンル３４１と、施設カテゴリ３４２と、距離属性設定状況３４４とが対応付けられたレコードを有している。なお、目的地ジャンル３４１および施設カテゴリ３４２については前述と同様であるため、説明を省略する。
【００４８】
距離属性設定状況３４４は、ガイド情報の表示を行うための距離条件を示す情報である。距離属性設定状況３４４には、「ＯＮ」と、「（距離ｋｍ）以上の時にＯＮ」と、「ＯＦＦ」とがある。例えば、ユーザが設定した目的地のジャンルと同じ目的地ジャンルが対応付けられたレコードの距離属性設定状況３４４に「ＯＮ」が設定されている場合に、ガイド情報が表示される。また、例えば、ユーザが設定した目的地のジャンルと同じ目的地ジャンルが対応付けられたレコードの距離属性設定状況３４４に「（５０ｋｍ）以上の時にＯＮ」が設定されている場合、目的地に設定された施設等が現在地から５０ｋｍ以上離れていればガイド情報が表示される。
【００４９】
例えば、ユーザは、設定した目的地のジャンルに関わらずガイド情報を表示させたい場合、ガイド情報の表示モード設定で「１ａ：ＯＮ（常にＯＮ）」を設定すれば良い。かかる設定では、目的地のジャンルが即時性の低い「遊ぶ」や「泊まる」などのレジャーに関連する場合であっても、即時性の高い「ガソリンスタンド」、「トイレ」、「駐車場」、「コンビニエンスストア」などの場所に関連する場合であってもガイド情報が表示されることになる。
【００５０】
例えば、ユーザは、レジャー目的など即時性の低いドライブの時にだけガイド情報を表示させたい場合、ガイド情報の表示モード設定で「１ｂ：目的地ジャンル毎にＯＮ」を設定し、「遊ぶ」、「泊まる」などの目的地ジャンル３４１に対応するガイド表示設定状況３４３をＯＮ（それ以外の目的地ジャンル３４１のガイド表示設定状況３４３をＯＦＦ）に設定すれば良い。これにより、目的地のジャンルが即時性の低い「遊ぶ」、「泊まる」といったレジャーに関連する場合のみガイド情報が表示されることになる。言い換えれば、かかる設定により、目的地のジャンルが即時性の高い場所に関連する場合、ガイド情報は表示されないことになる。
【００５１】
なお、観光ガイド機能設定部３１３は、ガソリンスタンドやトイレなどの即時性の高い所定の目的地ジャンル３４１に対応付けられたガイド表示設定状況３４３を予め「ＯＦＦ」に設定しても良い。
【００５２】
また、ユーザは、所定の場合（例えば、目的地にレジャー施設付近のガソリンスタンドを設定する場合など）にガイド情報を表示させたい時、ガイド情報の表示モード設定で「１ｃ：目的地ジャンル毎＆距離属性毎にＯＮ」を設定し、「ガソリンスタンド」の目的地ジャンルに対応する距離属性をＯＮにする距離条件（例えば、５０ｋｍ）を設定すれば良い。これにより、ガソリンスタンドなどの即時性の高い施設等であっても、所定の距離以上離れている場合には、ガイド情報が表示されることになる。目的地がガソリンスタンド等の即時性の高い施設であっても、現在地から所定距離以上離れている場合には、ドライブがレジャー目的であり、ガイド情報を表示してもユーザが煩わしく感じないと推定される。したがって、このような設定がされている場合には、目的地までの距離が所定の距離条件を満たす場合にガイド情報が表示される。
【００５３】
図３に戻って説明する。ガイド情報表示部３１４は、ある地点から所定範囲にある観光スポットのガイド情報を表示する機能部である。なお、本実施形態では、目的地周辺にある観光スポットのガイド情報を表示する場合について説明するが、例えば、現在地周辺にある観光スポットのガイド情報を表示可能としても良い。
【００５４】
ガイド情報表示部３１４は、サーバ装置２００から取得した観光スポットのガイド情報について、割込表示の可否を表示許可判定部３１５に問い合わせる。また、ガイド情報表示部３１４は、表示許可判定部３１５により割込表示が許可された場合、出力表示部３１２を介してガイド情報をディスプレイ２に表示する。
【００５５】
表示許可判定部３１５は、観光ガイド機能の設定状況に応じて割込表示の可否を判定する機能部である。具体的には、表示許可判定部３１５は、観光ガイド機能設定情報３３０および表示モード詳細設定情報３４０を用いて表示の可否を判定する。
【００５６】
図７は、観光スポットのガイド情報５０１が表示された画面５００の一例を示した図である。図示するように、ガイド情報５０１は、表示画面の所定領域（本例では、表示画面の左側）に表示され、目的地周辺にある観光スポットをランキング順（例えば、アクセス数の多い順、投稿数の多い順など）にリスト表示したものである。ガイド情報５０１には、例えば、観光スポット名称およびランキング順位５０２と、地図上の位置を示すマーカー５０３と、クローズボタン５０４と、その他ユーザ指示を受け付けるボタン（音声入力ボタン５０５と、時間、項目設定、画面スクロールなどの指示を受け付けるボタン５０６）とが含まれている。
【００５７】
ガイド情報表示部３１４は、入力受付部３１１を介してクローズボタン５０４がタッチ（または選択）されたことを検知すると、ガイド情報５０１の表示を終了する。また、ガイド情報表示部３１４は、入力受付部３１１を介していずれかの観光スポット名称およびランキング順位５０２がタッチ（または選択）されたことを検知すると、出力表示部３１２を介して詳細ガイド情報を表示する。
【００５８】
図８は、詳細ガイド情報５１１が表示された画面５１０の一例を示した図である。図示するように、詳細ガイド情報５１１は、タッチ（または選択）された観光スポット名称およびランキング順位５０２のより詳細な情報を表示したものである。詳細ガイド情報５１１には、タッチ等された観光スポット名称およびランキング順位、目的地からの距離および住所を表示する領域５１２と、電話番号を表示する領域５１３と、案内および口コミ情報を表示する領域５１４と、画像情報を表示する領域５１５と、戻るボタン５１６と、音声入力ボタン５１７とが含まれている。
【００５９】
ガイド情報表示部３１４は、入力受付部３１１を介して観光スポット名称またはランキング順位を表示した領域５１２がタッチ（または選択）されたことを検知すると、かかる観光スポットを目的地としてリルート設定（再経路探索）するよう図示しない機能部（例えば、推奨経路を探索する経路探索部）に指示を出力する。また、ガイド情報表示部３１４は、入力受付部３１１を介して戻るボタン５１６がタッチ（または選択）されたことを検知すると、出力表示部３１２を介して表示画面５００（図７）を再表示する。
【００６０】
図３に戻って説明する。記憶部３０２は、地図情報３２０と、観光ガイド機能設定情報３３０と、表示モード詳細設定情報３４０とを有している。
【００６１】
通信部３０３は、外部装置（本例では、サーバ装置２００）と情報通信を行う機能部である。具体的には、通信部３０３は、ユーザが設定した目的地の位置情報をサーバ装置２００に送信する。また、通信部３０３は、サーバ装置２００が抽出した目的地周辺にある観光スポットのガイド情報を取得する。
【００６２】
以上、情報表示装置１００の機能構成について説明した。
【００６３】
サーバ装置２００は、情報取得部４０１と、ガイド情報抽出部４０２と、情報格納部４０３と、情報通信部４０４とを有している。
【００６４】
情報取得部４０１は、所定情報を取得する機能部である。具体的には、情報取得部４０１は、情報通信部４０４を介して、情報表示装置１００で設定された目的地の位置情報を取得する。
【００６５】
ガイド情報抽出部４０２は、観光ガイド情報から所定の観光スポットのガイド情報を抽出する機能部である。具体的には、ガイド情報抽出部４０２は、情報表示装置１００で設定された目的地の位置情報を用いて、かかる目的地から所定範囲（例えば、半径１ｋｍ）にある所定数（例えば、４〜５個）の観光スポットのガイド情報を抽出する。また、ガイド情報抽出部４０２は、情報通信部４０４を介して、抽出したガイド情報を情報表示装置１００に送信する。
【００６６】
情報格納部４０３は、所定情報を格納する機能部である。具体的には、情報格納部４０３は、地図情報４１０と、観光ガイド情報４２０とを格納している。観光ガイド情報４２０は、例えば、観光スポットごとに名称、位置情報、住所、電話番号、ランキング順位、説明情報、口コミ情報および画像情報といった観光スポットに関する様々な情報を有している。
【００６７】
情報通信部４０４は、外部装置（本例では、情報表示装置１００）との間で情報通信を行う機能部である。具体的には、情報通信部４０４は、ユーザが設定した目的地の位置情報を情報表示装置１００から取得する。また、情報通信部４０４は、サーバ装置２００が抽出した目的地周辺にある観光スポットのガイド情報を情報表示装置１００に送信する。
【００６８】
以上、サーバ装置２００の機能構成について説明した。
【００６９】
なお、情報表示装置１００の演算部３０１と、サーバ装置２００の情報取得部４０１およびガイド情報抽出部４０２とは、各々のＣＰＵ２１、ＣＰＵ２０５に処理を行わせるプログラムによって実現される。このプログラムは各々、ＲＯＭ２３または記憶装置３と、ＲＯＭ２０７または外部記憶装置２０２に格納されており、実行にあたってＲＡＭ２２、ＲＡＭ２０６上にロードされ、ＣＰＵ２１、ＣＰＵ２０５により実行される。
【００７０】
なお、記憶部３０２は、ＲＡＭ２２、ＲＯＭ２３または記憶装置３によって実現されても良く、これらの組み合わせによって実現されても良い。また、情報格納部４０３は、ＲＡＭ２０６、ＲＯＭ２０７または外部記憶装置２０２によって実現されても良く、これらの組み合わせによって実現されても良い。また、通信部３０３は、通信装置１１によって実現される。また、情報通信部４０４は、通信装置２０３によって実現される。
【００７１】
また、各機能ブロックは、本実施形態において実現される情報表示装置１００およびサーバ装置２００の機能を理解容易にするために、主な処理内容に応じて分類したものである。したがって、各機能の分類の仕方やその名称によって、本発明が制限されることはない。また、情報表示装置１００およびサーバ装置２００の各構成は、処理内容に応じて、さらに多くの構成要素に分類することもできる。また、１つの構成要素がさらに多くの処理を実行するように分類することもできる。
【００７２】
また、各機能部の全部または一部は、コンピュータに実装されるハードウェア（ＡＳＩＣといった集積回路など）により構築されてもよい。また、各機能部の処理が１つのハードウェアで実行されてもよいし、複数のハードウェアで実行されてもよい。
【００７３】
［動作の説明］
図９は、ガイド情報表示処理の一例を示したフロー図である。かかる処理は、例えば、情報表示装置１００の起動（例えば、ＡＣＣ  ＯＮ）とともに開始される。
【００７４】
ガイド情報表示処理が開始されると、入力受付部３１１は、目的地の入力を受け付けたか否かを繰り返し判定し（ステップＳ００１）、目的地の入力を受け付けたと判定した場合（ステップＳ００１でＹｅｓ）、処理をステップＳ００２に移行する。
【００７５】
次に、ガイド情報表示部３１４は、目的地周辺の観光スポットのガイド情報をサーバ装置２００から取得する（ステップＳ００２）。具体的には、ガイド情報表示部３１４は、入力を受け付けた目的地の位置情報を地図情報を用いて特定し、通信部３０３を介してサーバ装置２００に送信する。サーバ装置２００のガイド情報抽出部４０２は、情報取得部４０１を介して取得した目的地の位置情報と、地図情報４１０および観光ガイド情報４２０とを用いて、目的地周辺にある所定数の観光スポットのガイド情報を抽出する。また、ガイド情報抽出部４０２は、情報通信部４０４を介してガイド情報を情報表示装置１００に送信する。
【００７６】
次に、ガイド情報表示部３１４は、目的地の入力から所定時間（例えば、１５分）が経過したか否かを繰り返し判定し（ステップＳ００３）、所定時間が経過したと判定した場合（ステップＳ００３でＹｅｓ）、処理をステップＳ００４に移行する。
【００７７】
次に、ガイド情報表示部３１４は、ガイド情報の割込み表示の可否を表示許可判定部３１５に問い合わせる（ステップＳ００４）。
【００７８】
表示許可判定部３１５は、ガイド情報の割込み表示の可否について問い合わせを受け付けると、ガイド情報の表示を許可するか否かを判定する（ステップＳ００５）。かかる判定にあたり、表示許可判定部３１５は、ガイド情報の表示許可判定処理を実行し、かかる判定結果に基づき、割込み表示を許可するか否かを決定する。
【００７９】
図１０は、ガイド情報の表示許可判定処理の一例を示したフロー図である。表示許可判定部３１５は、観光ガイド機能がＯＮか否かを判定する（ステップＳ０２１）。具体的には、表示許可判定部３１５は、観光ガイド機能設定情報３３０の「観光ガイド機能の有効設定」に対応付けられている設定状況３３３が「ＯＮ」か否かを判定する。そして、設定状況３３３が「ＯＮ」ではないと判定した場合（ステップＳ０２１でＮｏ）、表示許可判定部３１５は、ガイド情報の表示拒否を決定し（ステップＳ０２９）、本フローを終了する。一方で、設定状況３３３が「ＯＮ」と判定した場合（ステップＳ０２１でＹｅｓ）、表示許可判定部３１５は、処理をステップＳ０２２に移行する。
【００８０】
次に、表示許可判定部３１５は、表示モード設定が「常時ＯＮ」か否かを判定する（ステップＳ０２２）。具体的には、表示許可判定部３１５は、観光ガイド機能設定情報３３０の「ガイド情報の表示モード設定」に対応付けられている設定状況３３３が「１ａ：ＯＮ（常時ＯＮ）」か否かを判定する。そして、設定状況３３３が「１ａ：ＯＮ（常時ＯＮ）」と判定した場合（ステップＳ０２２でＹｅｓ）、表示許可判定部３１５は、ガイド情報の表示許可を決定し（ステップＳ０３０）、本フローの処理を終了する。一方で、設定状況３３３が「１ａ：ＯＮ（常時ＯＮ）」ではないと判定した場合（ステップＳ０２２でＮｏ）、表示許可判定部３１５は、処理をステップＳ０２３に移行する。
【００８１】
次に、表示許可判定部３１５は、ユーザが設定した目的地のジャンルを特定する（ステップＳ０２３）。また、表示許可判定部３１５は、表示モードが「目的地ジャンル毎（１ｂ）にＯＮ」であるか否かを判定する（ステップＳ０２４）。具体的には、表示許可判定部３１５は、観光ガイド機能設定情報３３０の「ガイド情報の表示モード設定」に対応付けられている設定状況３３３が「１ｂ：目的地ジャンル毎にＯＮ」か否かを判定する。そして、設定状況３３３が「１ｂ：目的地ジャンル毎にＯＮ」と判定した場合（ステップＳ０２４でＹｅｓ）、表示許可判定部３１５は、処理をステップＳ０２５に移行する。一方で、設定状況３３３が「１ｂ：目的地ジャンル毎にＯＮ」ではないと判定した場合（ステップＳ０２４でＮｏ）、表示許可判定部３１５は、処理をステップＳ０２６に移行する。
【００８２】
ステップＳ０２５では、表示許可判定部３１５は、特定したジャンルのガイド表示設定が「ＯＮ」か否かを判定する。具体的には、表示許可判定部３１５は、ユーザが設定した目的地のジャンルが対応付けられた表示モード詳細設定情報３４０のガイド表示設定状況３４３が「ＯＮ」であるか否かを判定する。そして、ガイド表示設定状況３４３が「ＯＮ」ではないと判定した場合（ステップＳ０２５でＮｏ）、表示許可判定部３１５は、ガイド情報の表示拒否を決定し（ステップＳ０２９）、本フローの処理を終了する。一方で、ガイド表示設定状況３４３が「ＯＮ」と判定した場合（ステップＳ０２５でＹｅｓ）、表示許可判定部３１５は、ガイド情報の表示許可を決定し（ステップＳ０３０）、本フローの処理を終了する。
【００８３】
また、ステップＳ０２６では、表示許可判定部３１５は、特定したジャンルの距離属性設定が「ＯＮ」であるか否かを判定する。具体的には、表示許可判定部３１５は、ユーザが設定した目的地のジャンルが対応付けられた表示モード詳細設定情報３４０の距離属性設定状況３４４が「ＯＮ」であるか否かを判定する。そして、距離属性設定状況３４４が「ＯＮ」ではないと判定した場合（ステップＳ０２６でＮｏ）、表示許可判定部３１５は、処理をステップＳ０２７に移行する。一方で、距離属性設定状況３４４が「ＯＮ」と判定した場合（ステップＳ０２６でＹｅｓ）、表示許可判定部３１５は、ガイド情報の表示許可を決定し（ステップＳ０３０）、本フローの処理を終了する。
【００８４】
次に、表示許可判定部３１５は、特定したジャンルの距離属性設定が「（距離ｋｍ）の時にＯＮ」であるか否かを判定する（ステップＳ０２７）。具体的には、表示許可判定部３１５は、ユーザが設定した目的地のジャンルが対応付けられた表示モード詳細設定情報３４０の距離属性設定状況３４４が「（距離ｋｍ）の時にＯＮ」であるか否かを判定する。そして、距離属性設定状況３４４が「（距離ｋｍ）の時にＯＮ」ではないと判定した場合（ステップＳ０２７でＮｏ）、表示許可判定部３１５は、ガイド情報の表示拒否を決定し（ステップＳ０２９）、本フローの処理を終了する。一方で、距離属性設定状況３４４が「（距離ｋｍ）の時にＯＮ」であると判定した場合（ステップＳ０２７でＹｅｓ）、表示許可判定部３１５は、処理をステップＳ０２８に移行する。
【００８５】
次に、表示許可判定部３１５は、目的地までの距離が所定値以上か否かを判定する（ステップＳ０２８）。具体的には、表示許可判定部３１５は、現在地から目的地までの距離を算出し、かかる距離が距離属性設定状況３４４に登録されている距離（例えば、５０ｋｍ）以上であるか否かを判定する。そして、目的地までの距離が所定値以上ではないと判定した場合（ステップＳ０２８でＮｏ）、表示許可判定部３１５は、ガイド情報の表示拒否を決定し（ステップＳ０２９）、本フローの処理を終了する。一方で、目的地までの距離が所定値以上と判定した場合（ステップＳ０２８でＹｅｓ）、表示許可判定部３１５は、ガイド情報の表示許可を決定し（ステップＳ０３０）、本フローの処理を終了する。
【００８６】
図９に戻って説明する。表示許可判定部３１５は、このようなガイド情報の表示許可判定結果に基づきガイド情報の表示を許可するか否かを判定し（ステップＳ００５）、許可しない場合（ステップＳ００５でＮｏ）、処理をステップＳ００３に戻す。一方で、表示許可判定部３１５が表示を許可すると判定した場合（ステップＳ００５でＹｅｓ）、ガイド情報表示部３１４は、出力表示部３１２を介してディスプレイ２にガイド情報を表示する（ステップＳ００６）。
【００８７】
次に、入力受付部３１１は、ユーザ操作を受け付けたか否かを繰り返し判定する（ステップＳ００７）。そして、ユーザ操作を受け付けたと判定した場合（ステップＳ００７でＹｅｓ）、入力受付部３１１は、処理をステップＳ００８に移行する。
【００８８】
次に、全体制御部３１０および図示しない所定の機能は、ユーザ操作に応じた処理を実行し（ステップＳ００８）、処理をステップＳ００９に移行する。
【００８９】
次に、全体制御部３１０は、ユーザ操作がガイド情報のクローズであったか否かを判定する（ステップＳ００９）。すなわち、全体制御部３１０は、図７に示すガイド情報５０１の表示画面５００において、ユーザがクローズボタン５０４を押下したか否かを判定する。そして、ユーザ操作がガイド情報のクローズであったと判定した場合（ステップＳ００９でＹｅｓ）、全体制御部３１０は、処理をステップＳ００３に戻す。一方で、ユーザ操作がガイド情報のクローズではなかったと判定した場合（ステップＳ００９でＮｏ）、全体制御部３１０は、処理をステップＳ０１０に移行する。
【００９０】
次に、全体制御部３１０は、ユーザ操作がリルート設定であったか否かを判定する（ステップＳ０１０）。すなわち、全体制御部３１０は、図８に示す詳細ガイド情報５１１の表示画面５１０において、ユーザが観光スポット名称およびランキング順位５１２をタッチ（または選択）して、新たな目的地を設定したか否かを判定する。そして、ユーザ操作がリルート設定であったと判定した場合（ステップＳ０１０でＹｅｓ）、全体制御部３１０は、処理をステップＳ００２に戻す。なお、ステップＳ００２では、ガイド情報表示部３１４は、リルート設定を受け付けた新たな目的地の周辺にある観光スポットのガイド情報を取得する。
【００９１】
一方で、ユーザ操作がリルート設定ではなかったと判定した場合（ステップＳ０１０でＮｏ）、全体制御部３１０は、処理をステップＳ００７に戻す。
【００９２】
以上、ガイド情報の表示処理について説明した。
【００９３】
このような情報表示装置１００によれば、所定範囲にある観光スポットなどの情報表示について、ユーザにとって煩わしくないように、より適切に制御することができる。特に、情報表示装置１００は、ユーザが設定した目的地のジャンルに応じて、ユーザがガイド情報の表示または非表示のどちらを望んでいるかを判定することができるため、ドライブ途中での寄り道を望んでいない状況下で不要なガイド情報の表示を抑制することができる。
【００９４】
なお、前述の実施形態に係る情報表示装置１００では、ガイド情報の表示設定モードで「１ｃ：目的地ジャンル毎＆距離属性毎にＯＮ」が設定されている場合、目的地までの距離が所定の距離条件を満たす場合にガイド情報を表示したが、かかる距離条件に代えて、目的地までの時間条件（予想移動時間）を満たす場合（所定値以上の場合）、ガイド情報を表示するようにしても良い。
【００９５】
具体的には、表示モード詳細設定情報３４０は、距離属性設定状況３４４に代えて時間属性を有し、予め所定の時間条件（例えば、１２０分）が登録されているものとする。また、情報表示装置１００の図示しない機能部（例えば、「経路探索部」）は、ユーザが設定した目的地までの予想移動時間を算出する。また、ガイド情報表示部３１４は、算出した予想移動時間が、ユーザの設定した目的地のジャンルに対応する表示モード詳細設定情報３４０の時間属性に登録されている所定の時間条件を満たす場合（例えば、予想移動時間が１２０分以上の場合）、ガイド情報の表示を許可する。
【００９６】
このような情報表示装置１００でも、目的地がガソリンスタンド等の即時性の高い施設であっても、現在地から所定時間以上離れている場合には、ドライブがレジャー目的であり、ガイド情報を表示してもユーザが煩わしく感じないと推定されるため、ガイド情報が表示される。
【００９７】
また、前述の実施形態では、情報表示装置１００は、サーバ装置２００からガイド情報を取得したが、情報表示装置１００の記憶部３０２に観光ガイド情報を格納し、ガイド情報表示部３１４がガイド情報を抽出するようにしても良い。このようにすれば、サーバ装置２００との間で情報通信を行う必要がなくなる。そのため、例えば、電波環境が悪い場所を走行している場合でも、ガイド情報の取得に影響を受けることがない。
【００９８】
また、前述の実施形態では、情報表示装置１００は、ガイド情報の表示許可判定処理前にガイド情報を取得したが、かかる判定によりガイド情報の表示許可が決定された後にガイド情報をサーバ装置２００から取得するようにしても良い。これによれば、情報表示装置１００は、表示しないガイド情報をサーバ装置２００から取得することを防止できる。
【００９９】
また、前述の実施形態では、情報表示装置１００は、目的地周辺にある観光スポットのガイド情報を表示したが、現在地周辺にある観光スポットのガイド情報を表示するようにしても良い。この場合、ガイド情報表示部３１４は、ユーザが設定した目的地の位置情報に代えて、現在地の位置情報をＧＰＳ受信装置９などから取得し、これをサーバ装置２００に送信すれば良い。
【０１００】
また、本発明に係る情報表示装置１００は、前述の実施形態に限られるものではなく、例えば、情報表示装置１００は、過去の走行履歴に基づいて推定した目的地を設定し、かかる目的地のジャンルに応じてガイド情報の表示または非表示を制御しても良い。具体的には、情報表示装置１００の記憶部３０２は、例えば、出発地や目的地（到着地）ごとの走行経路、走行時間帯、曜日、季節などを過去の走行履歴情報として記憶する。また、演算部３０１の図示しない機能部（以下、「目的地推定部」という）は、かかる走行履歴情報を用いて現時点における目的地を推定する。また、ガイド情報表示部３１４は、推定された目的地のジャンルに応じたガイド情報を取得する。また、表示許可判定部３１５は、かかる目的地のジャンルと、観光ガイド機能設定情報３３０および表示モード詳細設定情報３４０とを用いて、ガイド情報の表示および非表示を制御する。このような情報表示装置１００によっても、推定された目的地周辺の観光スポットなどの情報表示について、ユーザにとって煩わしくないように、より適切に制御することができる。
【０１０１】
また、本発明に係る情報表示装置１００は、例えば、ＣＡＮ（Ｃｏｎｔｒｏｌｌｅｒ  Ａｒｅａ  Ｎｅｔｗｏｒｋ）を介して車両情報（例えば、ガソリンや充電などの燃料の残量）を取得する車両情報取得部と、車両情報取得部が取得した車両情報に基づいて目的地を推定する目的地推定部を備えても良い。例えば、車両情報が燃料残量の低下（所定値以下の残量）を示すものである場合、目的地推定部は、ガソリンスタンドなど車両に関する施設を目的地として推定する。また、前述と同様、ガイド情報表示部３１４は、推定された目的地のジャンルに応じたガイド情報を取得する。また、表示許可判定部３１５は、かかる目的地のジャンルと、観光ガイド機能設定情報３３０および表示モード詳細設定情報３４０とを用いて、ガイド情報の表示および非表示を制御する。このような情報表示装置１００によっても、推定された目的地周辺の観光スポットなどの情報表示について、ユーザにとって煩わしくないように、より適切に制御することができる。特に、表示モード詳細設定情報３４０において、ガソリンスタンドなどの即時性の高い施設等に対応する目的地ジャンルのガイド表示設定状況３４３がＯＦＦに設定されていれば、ガソリンスタンド等が目的地として推定された場合、不要なガイド情報の表示を抑制することができる。
【０１０２】
また、本発明は、上記の実施形態や変形例などに限られるものではなく、これら以外にも様々な実施形態および変形例が含まれる。例えば、上記の実施形態は本発明を分かりやすく説明するために詳細に説明したものであり、必ずしも説明した全ての構成を備えるものに限定されるものではない。また、ある実施形態の構成の一部を他の実施形態や変形例の構成に置き換えることが可能であり、ある実施形態の構成に他の実施形態の構成を加えることも可能である。また、各実施形態の構成の一部について、他の構成の追加・削除・置換をすることが可能である。
【０１０３】
また、上記の各構成、機能、処理部および処理手段などは、それらの一部または全部を、プロセッサが各々の機能を実現するプログラムにより実現しても良い。各機能を実現するプログラム、テーブル、ファイルなどの情報は、メモリや、ハードディスク、ＳＳＤ（Ｓｏｌｉｄ  Ｓｔａｔｅ  Ｄｒｉｖｅ）などの記憶装置、または、ＩＣカード、ＳＤ（Ｓｅｃｕｒｅ  Ｄｉｇｉｔａｌ）メモリカード、ＤＶＤ（Ｄｉｇｉｔａｌ  Ｖｅｒｓａｔｉｌｅ  Ｄｉｓｋ）などの記録媒体に置くことができる。なお、制御線や情報線は説明上必要と考えられるものを示しており、製品上必ずしも全ての制御線や情報線を示しているとは限らない。
【符号の説明】
【０１０４】
１００・・・情報表示装置、１・・・演算装置、２・・・ディスプレイ、３・・・記憶装置、４・・・音声入出力装置、４１・・・マイクロフォン、４２・・・スピーカ、
５・・・入力装置、５１・・・タッチパネル、５２・・・ダイヤルスイッチ、
６・・・ＲＯＭ装置、７・・・車速センサ、８・・・ジャイロセンサ、
９・・・ＧＰＳ受信装置、１０・・・ＶＩＣＳ受信装置、１１・・・通信装置、
２００・・・サーバ装置、２０１・・・演算装置、２０２・・・外部記憶装置、
２０３・・・通信装置、２０４・・・バス、３０１・・・演算部、３０２・・・記憶部、
３０３・・・通信部、４０１・・・情報取得部、４０２・・・ガイド情報抽出部、
４０３・・・情報格納部、４０４・・・情報通信部
【図１】
2018105624.tif 000003
【図２】
2018105624.tif 000004
【図３】
2018105624.tif 000005
【図４】
2018105624.tif 000006
【図５】
2018105624.tif 000007
【図６】
2018105624.tif 000008
【図７】
2018105624.tif 000009
【図８】
2018105624.tif 000010
【図９】
2018105624.tif 000011
【図１０】
2018105624.tif 000012